(57)【要約】      （修正有）【課題】メンテナンスの負担が少ない殺菌水製造装置を提供する。【解決手段】塩化物を含む水を供給する水供給ライン２と、水供給ライン２を開閉する第一の電磁弁３と、水供給ライン２から供給された水を電気分解して電解次亜水を生成する電解槽４と、電解槽４が生成した電解次亜水を外部に吐出する電解次亜水吐出ライン５と、電解次亜水吐出ライン５を開閉する第二の電磁弁６と、を備える殺菌水製造装置１。電解槽４には、電気分解のための電力を供給する直流電源７が接続されている。直流電源７には、電気分解に使用する（電解槽４に供給する）電流値及び／又は電圧値を表示する表示部８が設けられており、この表示部８により、電流値や電圧値に発生した異常の早期発見が可能となる。【選択図】図１
0003190396.tif 000002
【実用新案登録請求の範囲】
【請求項１】
塩化物を含む水を供給する水供給ラインと、
前記水供給ラインを開閉する第一の電磁弁と、
前記水供給ラインから供給された水を電気分解して電解次亜水を生成する電解槽と、
前記電解槽が生成した電解次亜水を外部に吐出する電解次亜水吐出ラインと、
前記電解次亜水吐出ラインを開閉する第二の電磁弁と、
を備える殺菌水製造装置。
【請求項２】
前記電気分解に使用される電流値及び／又は電圧値を表示する表示部を更に備える請求項１記載の殺菌水製造装置。
【請求項３】
非接触式センサ部を更に備え、
前記非接触式センサ部が使用者の給水要求を検知したことを契機として、前記第一の電磁弁が前記水供給ラインを開放する請求項１または２記載の殺菌水製造装置。
【請求項４】
前記電解槽への水の供給を検知するフロースイッチを更に備え、
前記フロースイッチが前記電解槽への水の供給を検知したことを契機として、前記電解槽が作動して電解次亜水を生成するとともに、前記第二の電磁弁が前記電解次亜水吐出ラインを開放する請求項１〜３のいずれか１項に記載の殺菌水製造装置。
【請求項５】
前記電解槽が無隔膜型電解槽である請求項１〜４のいずれか１項に記載の殺菌水製造装置。
【請求項６】
前記水供給ラインから供給される水の塩素濃度が０．１〜１０ｍｇ／Ｌである請求項１〜５のいずれか１項に記載の殺菌水製造装置。
【請求項７】
前記電解槽に印加される電圧が０．１〜３０Ｖである請求項１〜６のいずれか１項に記載の殺菌水製造装置。
【請求項８】
前記電解槽に供給される電流が０．１〜８Ａである請求項１〜７のいずれか１項に記載の殺菌水製造装置。
【請求項９】
前記水供給ラインから供給される水の流量が０．１〜１０Ｌ／ｍｉｎである請求項１〜８のいずれか１項に記載の殺菌水製造装置。
【請求項１０】
前記電解槽に電力供給する電源の極性が定期的に反転する請求項１〜９のいずれか１項に記載の殺菌水製造装置。
【請求項１１】
医療用である請求項１〜１０のいずれか１項に記載の殺菌水製造装置。
【考案の詳細な説明】
【技術分野】
【０００１】
本考案は、医療現場における手洗いに好適な殺菌水製造装置に関する。
【背景技術】
【０００２】
病院等の医療現場において、手洗い（手指衛生）は、院内感染を防止するために重要な習慣である。手洗いに使用する水を浄化する手法として、限外ろ過膜（ＵＦ膜）を用いる手法が知られており、その一例として、特許文献１には、限外ろ過膜を備える手術用手洗い装置が開示されている。
【先行技術文献】
【特許文献】
【０００３】
【特許文献１】特開平９−１４９９３２号公報
【考案の概要】
【考案が解決しようとする課題】
【０００４】
限外ろ過膜を用いた従来の装置では、装置の浄化能力を維持するためには定期的に限外ろ過膜の清掃や交換が必要であり、メンテナンスの負担が大きいという点で改善の余地があった。
本考案は、この課題を解決し、メンテナンスの負担が少ない殺菌水製造装置を提供することを目的とする。
【課題を解決するための手段】
【０００５】
本考案者らが鋭意検討した結果、電解次亜水を利用することで、清浄な水を容易に製造することができ、前記課題を見事に解決できることを見出し、本考案に想到した。
すなわち、本考案は、次の通りの構成をとるものである。
〔１〕塩化物を含む水を供給する水供給ラインと、前記水供給ラインを開閉する第一の電磁弁と、前記水供給ラインから供給された水を電気分解して電解次亜水を生成する電解槽と、前記電解槽が生成した電解次亜水を外部に吐出する電解次亜水吐出ラインと、前記電解次亜水吐出ラインを開閉する第二の電磁弁と、を備える殺菌水製造装置。
〔２〕前記電気分解に使用する電流値及び／又は電圧値を表示する表示部を更に備える〔１〕に記載の殺菌水製造装置。
〔３〕非接触式センサ部を更に備え、前記非接触式センサ部が使用者の給水要求を検知したことを契機として、前記第一の電磁弁が前記水供給ラインを開放する〔１〕又は〔２〕に記載の殺菌水製造装置。
〔４〕前記電解槽への水の供給を検知するフロースイッチを更に備え、前記フロースイッチが前記電解槽への水の供給を検知したことを契機として、前記電解槽が作動して電解次亜水を生成するとともに、前記第二の電磁弁が前記電解次亜水吐出ラインを開放する〔１〕〜〔３〕のいずれかに記載の殺菌水製造装置。
〔５〕前記電解槽が無隔膜型電解槽である〔１〕〜〔４〕のいずれかに記載の殺菌水製造装置。
〔６〕前記水供給ラインから供給される水の塩素濃度が０．１〜１０ｍｇ／Ｌである〔１〕〜〔５〕のいずれかに記載の殺菌水製造装置。
〔７〕前記電解槽に印加される電圧が０．１〜３０Ｖである〔１〕〜〔６〕のいずれかに記載の殺菌水製造装置。
〔８〕前記電解槽に供給される電流が０．１〜８Ａである〔１〕〜〔７〕のいずれかに記載の殺菌水製造装置。
〔９〕前記水供給ラインから供給される水の流量が０．１〜１０Ｌ／ｍｉｎである〔１〕〜〔８〕のいずれかに記載の殺菌水製造装置。
〔１０〕前記電解槽に電力供給する電源の極性が定期的に反転する〔１〕〜〔９〕のいずれかに記載の殺菌水製造装置。
〔１１〕医療用である〔１〕〜〔１０〕のいずれかに記載の殺菌水製造装置。
【考案の効果】
【０００６】
電解次亜水は、塩化ナトリウム等の塩化物を含む水を電気分解して得られるものであり、それ自体が殺菌力を有している。そのため、電解次亜水を生成する構成を装置内に設けることにより、限外ろ過膜を使用しなくても、細菌の少ない清浄な水を製造することができる。これにより、限外ろ過膜を備える従来の装置と比較して、メンテナンスの負担を軽減することができる。また、電解次亜水の殺菌力を利用することで、アルコール等の殺菌剤が不要になるという効果もある。
【図面の簡単な説明】
【０００７】
【図１】本考案の殺菌水製造装置を示した模式図である。
【考案を実施するための形態】
【０００８】
以下、図面を参照しながら本考案の殺菌水製造装置について説明する。
【０００９】
図１は、本考案の殺菌水製造装置を示す模式図である。図１に示すように、殺菌水製造装置１は、塩化物を含む水を供給する水供給ライン２と、水供給ライン２を開閉する第一の電磁弁３と、水供給ライン２から供給された水を電気分解して電解次亜水を生成する電解槽４と、電解槽４が生成した電解次亜水を外部に吐出する電解次亜水吐出ライン５と、電解次亜水吐出ライン５を開閉する第二の電磁弁６と、を備える。
【００１０】
電解槽４には、電気分解のための電力を供給する直流電源７が接続されている。直流電源７には、電気分解に使用する（電解槽４に供給する）電流値及び／又は電圧値を表示する表示部８が設けられており、この表示部８により、電流値や電圧値に発生した異常の早期発見が可能となる。
【００１１】
電解次亜水吐出ライン５は水栓９に接続されている。水栓９には非接触センサ部１０が設けられており、この非接触センサ部１０が使用者の手をかざす等の給水要求を検知したことを契機として、第一の電磁弁３が水供給ライン２を開放し、電解槽４に水が供給される。
【００１２】
水供給ライン２と電解槽４との間には電解槽４への水の供給を検知するフロースイッチ１１が設けられており、電解槽４への水の供給をフロースイッチ１１が検知したことを契機として、電解槽４が作動して電解次亜水を生成するとともに、第二の電磁弁６が電解次亜水吐出ライン５を開放する。これにより、水栓９から電解次亜水が吐出される。
【００１３】
そして、給水要求が検知されなくなって一定時間が経過すると、第一の電磁弁３が水供給ライン２を閉鎖するとともに、第二の電磁弁６が電解次亜水吐出ライン５を閉鎖し、電解次亜水の吐出が停止する。
【００１４】
なお、第一の電磁弁３、第二の電磁弁６及びフロースイッチ１１によるこの一連の制御は、制御部１２によって行われる。
【００１５】
このように、殺菌水製造装置１では、使用者が装置に触れることなく、殺菌水である電解次亜水の製造及び外部への吐出とそれらの停止とが行われるため、接触感染を防止することができ、更に、節水効果も期待できる。
【００１６】
水供給ライン２から供給される水が含有する塩化物としては、殺菌力を有する次亜塩素酸を直接又は間接的に生成し得るものであれば特に限定されないが、例えば、塩化ナトリウム、塩酸等が挙げられる。殺菌力の高い電解次亜水を製造できるという点から、水供給ライン２から供給される水の塩素濃度は、好ましくは０．１〜１０ｍｇ／Ｌ、より好ましくは０．２〜０．６ｍｇ／Ｌである。
【００１７】
電解槽４は、無隔膜型電解槽であり、陽極側で生成される強酸性電解水と陰極側で生成される強アルカリ性電解水とが電解槽４中で自動的に混合されることで、電解次亜水が生成される。殺菌力の高い電解次亜水を製造できるという点から、電解槽４が行う電気分解の印加電圧は、好ましくは０．１〜３０Ｖ、より好ましくは０．１〜２０Ｖである。同様の観点から、電解槽４へ供給する電流値は、好ましくは０．１〜８Ａ、より好ましくは０．１〜４Ａであり、水供給ライン２から電解槽４に供給される水の流量は、好ましくは０．１〜１０Ｌ／ｍｉｎ、より好ましくは０．１〜４Ｌ／ｍｉｎである。
【００１８】
電解槽４に電力供給する直流電源は、極性が定期的に反転する。これにより、電解槽４の電極にスケールが付着することを抑制するとともに、電極に付着したスケールを剥離させることができる。直流電源の極性の反転は、前述の第一の電磁弁等と同様、制御部１２によって行われる。
【００１９】
以上、説明したように、本考案の殺菌水製造装置によれば、電解次亜水を生成する電解槽を備えているため、限外ろ過膜を使用しなくても、細菌の少ない正常な水を製造することができる。また、電解次亜水自体が殺菌力を有しているため、アルコール等の殺菌剤を使用しなくても、殺菌を行うことができる。
【００２０】
本考案の殺菌水製造装置は、医療用、食品用、工業用等として、様々な分野で使用できるが、特に医療用として好適である。
【符号の説明】
【００２１】
１  殺菌水製造装置
２  水供給ライン
３  第一の電磁弁
４  電解槽
５  電解次亜水吐出ライン
６  第二の電磁弁
７  直流電源
８  表示部
９  水栓
１０  非接触式センサ部
１１  フロースイッチ
１２  制御部
【図１】
0003190396.tif 000003